(57)【要約】【課題】  読取位置に対向して配置された移動自在な白色部材と原稿読取面との距離を常に一定に保つことで、正確なシェーディング補正データを取得できる画像読取装置を提供する。【解決手段】  原稿を読み取るためのコンタクトガラス７を有する読取ユニット４と、この読取ユニット４のコンタクトガラス７に対向して配置され、コンタクトガラス７との間で原稿を通過させるは搬送経路１３を形成するバックアップガラス５２と、バックアップガラス５２のコンタクトガラス７側と異なる背面側に配置された白色部材５３と、バックアップガラス５２を介して白色部材５３をコンタクトガラス７と対向する位置とコンタクトガラス７の対向位置から退避させた退避位置に回動させる支持板５４と、バックアップガラス５２と白色部材５３との間に設けられ、白色部材と透明部材の背面との間に一定の隙間を形成する規制部材７０と、を備えた。【選択図】  図２
2008193167.tif 000002
【特許請求の範囲】
【請求項１】
原稿を読み取るための読取面を有する読取手段と、この読取手段の読取面に対向して配置され、該読取面との間で原稿を通過させる経路を形成する透明部材と、前記透明部材の前記読取面側と異なる背面側に配置された白色部材と、この白色部材を前記透明部材を介して前記読取面と対向する対向位置と前記読取面の対向位置から退避した退避位置に回動させる回動手段と、前記透明部材と前記白色部材との間に設けられ、前記白色部材と前記透明部材の背面との間に一定の隙間を形成する規制手段と、を備えたことを特徴とする画像読取装置。
【請求項２】
前記透明部材がその一側面に取り付けられ、その内側を黒色で形成された箱状のベース部材を設け、この箱状の前記ベース部材の内部に前記白色部材を設けたことを特徴とする請求項１に記載の画像読取装置。
【請求項３】
前記ベース部材、前記透明部材、前記白色部材を一体のバックアップユニットで構成し、前記バックアップユニットの前記読取面に対向する一側面の主走査方向の両側に該読取面に当接する当接部を設けるとともにこの当接部を該読取面に当接させるように前記バックアップユニットを該読取面側に付勢する付勢部材を設けたことを特徴とする請求項２に記載の画像読取装置。
【請求項４】
原稿を読み取るための読取面を有する光学系の読取手段と、前記読取面に設けられた読取位置に原稿を搬送する搬送手段と、この読取手段の読取面に対向して配置され、該読取面との間に原稿の搬送経路を形成する透明部材と、前記透明部材の前記読取面側と異なる背面側に回動自在に設けられた回動部材と、前記回動部材に取り付けられ、該回動部材の回動動作に伴って前記透明部材を介して前記読取面と対向する対向位置と前記読取面から退避した退避位置に移動する可撓性の白色部材と、を備え、
前記白色部材は前記回動部材に固定される一端部とこの固定された一端部から延設された揺動可能な自由端部とを有することを特徴とする画像読取装置。
【請求項５】
前記透明部材と前記白色部材との間に規制手段を設け、この規制部材は前記白色部材の自由端部と当接することによって、前記透明部材と前記白色部材との間の前記読取面の読取位置に対向した部分に一定の隙間を形成することを特徴とする請求項４に記載の画像読取装置。
【請求項６】
前記白色部材の前記透明部材側と異なる側に黒色部材を設け、この黒色部材を前記読取手段の焦点深度外に設けたことを特徴とする請求項１または請求項４に記載の画像読読取装置。
【発明の詳細な説明】
【技術分野】
【０００１】
本発明は、搬送される両面原稿を読み取る画像読取装置に関し、詳しくは原稿を読み取るための読取部に配置された読取プラテンガラスに対向するバックアップガイドのパックアップ色を読取条件に応じて切り替える切替機構に関するものである。
【背景技術】
【０００２】
従来において搬送経路の読取部を通過する原稿の画像を静止した読取ユニットにて読み取る装置、所謂シートスルー型の画像読取装置が知られている。このような画像読取装置にあっては、画像読取手段を構成する光電変換素子の画素毎の感度のバラツキ、光源や反射ミラー等の光量のバラツキやその特性、レンズ等の結像ムラなどによって読み取った画像に濃度差が発生する。この濃度差を補正するために読取プラテンに対向する位置にシェーディング補正用の白色部材を設け、この白色部材を任意のタイミングで読み取り、シェーディング補正データを取得し、画像データにシェーディング補正を施して良好な読取画像を形成している。
【０００３】
しかし、従前の画像読取装置においてはシェーディング補正用の白色部材が読取プラテンに対向する位置に配置されているために、両面に文字等の画像が記録された両面原稿の表面画像を読み取る場合には、裏面の画像も同時に読み取られる、所謂裏写りが生じ、正確な画像の読み取りができないという問題点がある。特に、この裏写りは薄手の原稿の場合に顕著となり、重大な問題となっている。
【０００４】
この裏写りを防止するものとして、白色部材と黒色部材とを設け、原稿の種類によって白色部材と黒色部材とを切り替える切替機構を備えたものが知られている。例えば特許文献１には、画像読取手段の読取プラテンの読取位置に対向した位置に配置された透明ガラスと、この透明ガラスを介した位置に重ねて配置された白色部材及び黒色部材と、透明ガイド側に配置された白色部材を読取位置に対向する位置とそこから退避した位置とにスライド移動させるスライド機構を備える画像読取装置が提案されている。そして、この装置では、シェーディング補正データを取得する際には白色部材が読取位置に対向する位置に移動させ、薄手の両面原稿を読み取る際には白色部材を読取位置に対向した位置から退避した位置にスライド移動させて白色部材の背面側に位置した黒色部材を読取位置に対向させた状態となるように構成している。
【０００５】
【特許文献１】特開２０００４−５６６７２号公報
【発明の開示】
【発明が解決しようとする課題】
【０００６】
しかしながら、白色部材は主走査方向に長い形状であるため、白色部材の主走査方向一端側と他端側との間に傾きが生じる。これによって、光源から読取位置における白色部材までの距離に差が生じるので、正確なシェーディング補正データが得られないとの問題が生じる。また、上述したスライド機構を採用したものにおいては、スライド機構を原稿主走査範囲外に設けなければならないため、原稿を読み取るために読取部が主走査方向に大きくなり、装置の小型化の妨げになるとの問題が生じる。
【０００７】
本発明は、読取位置に対向して配置された移動自在な白色部材と原稿読取面との距離を常に一定に保つことができ、正確なシェーディング補正データを取得できる画像読取装置を提供することを目的とする。また、白色部材の移動機構による装置の大型化を抑えた画像読取装置を提供することを目的とする。
【課題を解決するための手段】
【０００８】
上記目的を達成するために第１の発明の画像読取装置は、原稿を読み取るための読取面を有する読取手段と、この読取手段の読取面に対向して配置され、読取面との間で原稿を通過させる経路を形成する透明部材と、透明部材の読取面側と異なる背面側に配置された白色部材と、この透明部材を介して白色部材を読取面と対向する位置と読取面の対向位置から退避させた退避位置に回動させる回動手段と、透明部材と白色部材との間に設けられ、白色部材と透明部材の背面との間に一定の隙間を形成する規制手段と、を備えたものである。
【０００９】
また、第２の発明の画像読取装置は、原稿を読み取るための読取面を有する光学系の読取手段と、読取面に設けられた読取位置に原稿を搬送する搬送手段と、この読取手段の読取面に対向して配置され、該読取面との間に原稿の搬送経路を形成する透明部材と、透明部材の読取面側と異なる背面側に回動自在に設けられた回動部材と、回動部材に取り付けられ、該回動部材の回動動作に伴って透明部材を介して読取面と対向する対向位置と読取面から退避した退避位置に移動する可撓性の白色部材と、を備え、白色部材は回動部材に固定される一端部とこの固定された一端部から延設された揺動可能な自由端部とを有するものである。
【発明の効果】
【００１０】
第１の発明によれば、白色部材を回動自在に構成し、透明部材と白色部材との間に隙間を形成するための規制部材を設けたので、白色部材の移動機構が大型化することがなく装置が小型化できる。また、ムラのない正確なシェーディング補正データを得ることができる。
【００１１】
第２の発明によれば、可撓性の白色部材の一端側を回動自在な回動部材に固定して取り付け、他端側を揺動可能に延設させたので、白色部材が対向位置に移動した際に確実に白色部材の主走査方向が所定の位置に位置付けられ、正確なシェーディング補正データを得ることができる。
【発明を実施するための最良の形態】
【００１２】
図１は原稿送り装置が搭載された画像読取装置を示す断面図である。また、図２は原稿送り装置に取り付けられた読取ユニットの読取部の構成を示す拡大断面図である。
【００１３】
図１において、Ａは画像読取装置本体Ｈの上部に搭載された原稿送り装置であり、この原稿送り装置Ａは、画像読取装置Ｈの上面に設けられた第１のプラテンガラス１上を原稿が通過するように搬送する。
【００１４】
画像読取装置Ｈは、第１のプラテンガラス１を介してランプ等の光源から発せられた光を原稿に照射し、その反射光を複数のミラーで反射させ、レンズを介してＣＣＤなどの光電変換手段により光電変換して原稿画像を読み取る第１の読取ユニット３を備え、第１のコンタクトガラス１の上面に画像読取装置Ｈの第１の読取部５を構成している。また、画像読取装置Ｈは、前記第１のプラテンガラス１の後方に第２のプラテンガラス２を備えている。この第２のプラテンガラス２は、原稿送り装置Ａを上方に開けて第２のプラテンガラス２上に本や雑誌等の厚い原稿を載置し、第１の読取ユニット３を副走査方向に移動させることによって、原稿画像を読み取るように構成されている。
【００１５】
原稿送り装置Ａは、原稿を載置する給紙トレイユニット１０、この給紙トレイユニット１０の下方側に配置され、画像読取装置Ｈで原稿画像が読み取られた原稿を収納する排紙トレイ１１と、第２のプラテンガラス２を押圧するための押圧カバー１２と、給紙トレイユニット１０から排紙トレイ１１に原稿を搬送するためのＵ字状の搬送経路１３とを備えている。なお、押圧カバー１２は、例えばスポンジ等の多孔質部材と白色マイラー等のフィルム部材とによって構成されている。また、給紙トレイユニット１０は、原稿の後端側を支持する給紙トレイ１０ａと原稿の先端側を支持し、原稿を載置するためのセット位置と繰り出すための繰出位置を昇降する昇降トレイ１０ｂで構成されている。
【００１６】
また、原稿送り装置ＡにはＵ字状の搬送経路１３の湾曲部に原稿の裏面画像を読み取る第２の読取ユニット４が設けられている。この第２の読取ユニット４は、図２に示すようにコンタクトガラス７上を搬送される原稿に光を照射するランプなどの光源４１と、原稿からの反射光を所定の方向に導く複数のミラー４２、４３、４４、４５と、複数のミラー４２、４３、４４、４５により導かれた反射光を収束するレンズ４６と、レンズ４６により収束された光を光電変換する光電変換素子４７とを備えている。
【００１７】
そして、搬送経路１３の一部を形成するコンタクトガラス７を介してランプ等の光源４１から発せられる光を原稿に照射し、その反射光を複数のミラー４２、４３、４４、４５で反射させ、レンズ４６を介してＣＣＤなどの光電変換手段４７により光電変換して原稿画像を読み取る。なお、ここではコンタクトガラス７の上面が画像読取装置Ｈの第２の読取部６として構成される。
【００１８】
このように、上記の原稿送り装置Ａでは、搬送経路１３途中の第２の読取部６を通過する原稿の一方の面の原稿画像を第２の読取ユニット４で読み取り、第１の読取部５を通過する原稿の他方の面の原稿画像を第１の読取ユニット３で読み取るので、両面原稿の画像読取時間を大幅に短縮することができる。
【００１９】
前記Ｕ字状の搬送経路１３は、給紙トレイユニット１０から原稿を繰り出すための繰出ローラ２１と、繰出ローラ２１から繰り出された原稿を１枚ずつ分離して給送するための給紙ローラ２２及び分離パッド２３からなる分離手段と、給紙ローラ２２から給紙された原稿の先端がそのニップ点に突き当たることによって原稿の先端を整合してスキューを除去し、その後に駆動して原稿を下流側に送るレジストローラ対２４とを備える。また、搬送経路１３は、レジストローラ対２４からの原稿を第２の読取部６及び第１の読取部５に向けて送り出す送りローラ対２５と、送りローラ対２５からの原稿を第２の読取部６に供給する第１の読取ローラ対２６と、第２の読取部６にて一方の面が読み取られた原稿を第１の読取部５に供給する第２の読取ローラ対２７とを備える。さらに、搬送経路１３は、第２の読取部６と第１の読取部５にて両面が読み取られた原稿を第１の読取部５から搬出する第３の読取ローラ対２８と、第１の読取部５を通過して両面が読み取られた後の原稿を第３の読取ローラ対２８から受けて排紙トレイ１１に向けて搬送する第１排紙ローラ対２９と、原稿を排紙トレイ１１に排紙する第２排紙ローラ対３０とを備えている。この実施形態では、上記の搬送経路１３は複数の部材を組み込んだ搬送ユニットＦとして構成されている。
【００２０】
なお、上述した原稿送り装置Ａには、搬送経路１３のレジストローラ対２４と送りローラ対２５との間の経路に重送検出センサＧＳが設けられている。この重送検出センサＧＳは、超音波を発振する発振部と超音波を受振する受振部とを経路を挟んで対向して配置されており、受振した超音波の振動レベルによって原稿の重送を検出する。また、搬送経路１３の排紙トレイ１１側の排紙部にはインプリンタ８が設けられている。このインプリンタ８は、検出センサＳ３の原稿検出結果に基づき第１排紙ローラ２９と第２排紙ローラ３０とによって排紙される原稿の表面に５文字程度の文字を印刷することができる。ここでは、原稿の重送などの搬送エラーや第１、第２の読取ユニット３、４による読取エラーが発生したことを報知する文字をエラーの発生した原稿に印刷するようになっている。
【００２１】
ここで、図２に示すように第２読取ユニット４のコンタクトガラス７に対向した位置には、バックアップユニット９が配置されている。このバックアップユニット９は、その内部が密閉された箱状のベース部材５１を有しており、ベース部材５１のコンタクトガラス７に対向する面には搬送ガイドとしてのバックアップガラス５２が設けられている。バックアップユニット９の内部には白色部材５３が設けられ、またベース部材５１の内側壁面全体は黒色となっている。
【００２２】
このバックアップユニット９は、読取面に対向する外側搬送ガイド１３ａに形成された溝部５６に設けられ、この溝部５６の底にはバックアップガイド９を第２読取ユニット４のコンタクトガラス７側に付勢する付勢バネ５５が配置される凹部５７が形成されている。
【００２３】
バックアップユニット９のベース部材５１の原稿主走査方向における原稿搬送領域外の両端部には突起５１ｂが複数設けられている。そして、バックアップユニット９を圧縮バネ５５によって第２読取ユニット４側に付勢することで、複数の突起５１ｂが第２読取ユニット４のコンタクトガラス７の原稿読取面に当接し、コンタクトガラス７とバックアップガラス５２の間隔を最小間隔に保持するように構成している。
【００２４】
図３はバックアップユニット９の構成を示す斜視図である。この図３及び図２に基づきバックアップユニット９について詳細に説明する。
【００２５】
白色部材５３は可撓性のフィルムからなり、回動支点を有する回動部材としての支持板５４に取り付けられている。そして、支持板５４を回動させることによって白色部材５３がバックアップガラス５２のコンタクトガラス７に対向する面と異なる背面に対向するバックアップ位置とこのバックアップ位置から退避した退避位置に移動するように構成されている。このように白色部材５３をバックアップ位置と退避位置に移動させることによって、白色部材５３がバックアップ位置にあるときにはコンタクトガラス７に対向する面側のバックアップ色が白色部材５３の白色となる。一方、白色部材５３が退避位置にあるときにはベース部材５１の内側壁面全体が黒色であるためベース部材５１の内部は暗い空間となっており、実質的にコンタクトガラス７に対向する面側のバックアップ色は黒色となる。なお、本実施の形態ではベース部材５１のコンタクトガラス７に対向した内側壁面５１ａを読取ユニットの焦点深度よりも距離を隔てて配置し、焦点位置とベース部材５１の内側壁面５１ａとの間に空間を設けている。これによって、光源４１からベース部材５１の内側壁面５１ａに到達する光は減衰されて内側壁面５１ａに到達するので内側壁面５１ａからの反射光は低減され、原稿の裏映りが確実に防止できる。
【００２６】
上述したように白色部材５３をバックアップ位置と退避位置に移動させることによって、コンタクトガラス７に対向する部分の色を白色と黒色に切り替えることが可能となる。これによって、シェーディング補正データを得る際にはバックアップ色を白色とし、原稿の裏映りが生じる恐れがある両面原稿を読み取る際にはバックアップ色を黒色にすることが選択できるので、同一の読取位置でシェーディング補正データの取得と原稿裏映りの防止を確実に行うことができる。
【００２７】
白色部材５３が取り付けられる支持板５４は、その主走査方向の両端のそれぞれに回動支点としての第１ピン５４ａ、第２ピン(図示せず)が設けられている。第１ピン５４ａ及び第２ピンはベース部材５１の両側の側部に回動自在に係合され、その一方のピン５４ａはベース部材５１の側部を貫通してベース部材５１の外側に延設されており、このベース部材５１の外側に延設されたピン５４ａの端部には、支持板５４を回動させるための回動レバー５８が一体に設けられている。
【００２８】
支持板５４を回動させるための駆動機構は、支持板５４を回動させるための駆動源としてのソレノイドＳＯＬとこのソレノイドＳＯＬの駆動を支持板５４の回動支点としてのピン５４ａに伝達するための扇状の第１ギア５９、一部歯欠した第２ギア６２で構成される。なお、第１ギア５９の回転軸にはソレノイドＳＯＬのプランジャーと連結するリンク部材６０が一体で形成されている。また第２ギア６２の回転軸には支持板５４のピン５４ａの先端に設けられた回動レバー５８に当接するためのＬ字状の回転アーム６３が一体で形成されている。さらに第１ギア５９には引っ張りバネ６４を取り付けるフック状の取付部６１が一体で形成されており、引っ張りバネ６４は第１ギアと装置フレーム（図示せず）との間に取り付けられて第１ギア５９を反時計回り方向に常時付勢する。
【００２９】
次に、支持板５４の回動動作について説明すると、図３（ａ）で示すように白色部材５３がバックアップガラス５２のコンタクトガラス７に対向する面と異なる背面に対向するバックアップ位置に移動した状態からソレノイドＳＯＬを励磁するとソレノイドＳＯＬのプランジャーが吸引される。プランジャーが吸引されるとプランジャーに連結されたリンク部材６０が時計回り方向に回転し、それに伴って第１ギア５９が引っ張りバネ６４の付勢力に抗してリンク部材６０と同一方向に回転する。この第１ギア５９の回転によって第１ギアに歯合した第２ギア６２が反時計回り方向に回転する。第２ギア６２の回転に伴って回転アーム６３が第２ギア６２の軸を支点として第２ギア６２の回転方向と同一方向に回転する。この回転アーム６３の回転動作によって、Ｌ字状の回転アーム６３の先端部６３ａが回動レバー５８に当接する。そして、回動レバー５８がピン５４ａを支点に反時計方向、すなわち支持板５４がバックアップガラス５２の背面から離れる方向に回転する。これによって、支持板５４に取り付けられた白色部材５３は、バックアップ位置から図３（ｂ）に示すような退避位置に移動する。
【００３０】
また、この図３（ｂ）で示す状態からソレノイドＳＯＬの励磁を遮断するとソレノイドＳＯＬのプランジャーはフリー状態となる。ソレノイドＳＯＬのプランジャーがフリー状態となると、第１ギア５９は引っ張りバネ６４の付勢力によって反時計回りに回転する。この第１ギア５９の回転によって第１ギア５９に歯合した第２ギア６２が時計回り方向に回転する。第２ギア６２の回転に伴って当接部材６３が第２ギア６２の軸を支点として第２ギア６２の回転方向と同一方向、すなわちＬ字状の回転アーム６３の先端部６３ａが回動レバー５８から離れる方向に回転する。そして、回動レバー５８及び支持板５４は回転アーム６３の回転動作に追従して自重によって時計回りに回転して垂下される。これによって、支持板５４に取り付けられた白色部材５３は退避位置からから図３（ａ）に示すようなバックアップ位置に移動する。
【００３１】
図４は白色部材５３を支持板に取り付けた状態を示す断面図である。図５（ａ）は白色部材４３がバックアップガラス５２の背面に対向したバックアップ位置に移動した状態を示す拡大図であり、図５（ｂ）は図５（ａ）のＱ矢指図である。白色部材５３は、図４に示すようにその一端を支持板５４に固定し、他端をフリー状態としている。そして、白色部材５３はそのフリー状態の他端は支持板５４から僅かに距離を隔てている。また、バックアップガラス５２の背面には白色部材５３が当接する規制部材７０が設けられている。この規制部材７０は読取位置におけるバックアップガラス５２と白色部材５３との間の隙間を確保するものであって、この隙間を確保することによって白色部材５３がバックアップガラス５２に当接して生じるニュートンリングの発生を防止する。
【００３２】
支持部材５４に取り付けられた白色部材５３は図５（ａ）に示すようにバックアップ位置に支持板５４の自重によって移動するとバックアップガラス５２の背面に取り付けられた規制部材６２に当接する。このとき白色部材５３は薄いフィルム部材からなるので、支持板５４の自重による付勢力によって僅かに撓んだ状態で規制部材７０に当接される。そして、これによって、図５（ｂ）に示すように白色部材５３の主走査幅方向の一端側が片当りするような状態であっても、片当り部分が撓んで白色部材５３の主走査幅方向の他端側も規制部材７０に当接する位置に移動することが可能となる。つまり、白色部材５３を薄いフィルム部材で構成し、その他端をフリー状態で支持部材５４から僅かに距離を隔てて取り付けることによって、白色部材５３の主走査幅方向が片当りすることなく規制部材７０に当接されるので光源に対する白色部材５３の主走査方向の面の位置が一定となり、良好なシェーディング補正データを得ることができる。また、上述の構成によって白色部材５３が規制部材７０に当接する際の衝撃を緩和することもできる。
【００３３】
なお、コンタクトガラス７からの距離を確実に一定にするために白色部材５３を読み取る読取位置Ｘは、白色部材５３のフリー状態の他端部が規制部材に当接する位置の近くに設定することが好ましい。本実施の形態では、図５（ａ）に示すように読取ユニット４による白色部材５３の読取位置Ｘを白色部材５３のフリー状態の部分の略半分より規制部材に当接する側に設けている。
【００３４】
上記の実施の形態においては、白色部材５３を退避位置からバックアップ位置に移動させる動作を自重によって行うようにしたが、確実に白色部材５３が規制部材７０に当接するようにテンションバネ等のバネ部材を用いて支持板５４をバックアップ位置側に付勢するように構成してもよい。
【００３５】
図６は、コンタクガラス７に対向する面側のバックアップ色を白色と黒色とに切り替える切替動作を示す動作フローチャートである。
【００３６】
先ず、装置の電源スイッチをＯＮ状態として、装置に電源が投入されるとイニシャライズ動作が実行される（ＳＴ１）。イニシャライズ動作が実行されたのちに第２の読取ユニット４にて白色部材５３が読み取られ、シェーディング補正データが取得される（ＳＴ２〜ＳＴ３）。その後、装置の操作パネル（図示せず）の給紙ボタンが押されて給紙指令が発生されるとバックアップ色の切替指令がなされているか否かが判断される（ＳＴ４〜ＳＴ５）。なお、バックアップ色の切替指令は操作パネル上に設けられた切替ボタン（図示せず）で操作者が選択し、その選択に基づき発生される。
【００３７】
そして、バックアップ色の切替指令がなければ、白色部材５３をバックアップ位置に維持した状態（ＳＴ６）、つまりバックアップ色が白色の状態となる。一方、バックアップ色の切替指令がある場合は、ソレノイドＳＯＬを励磁し、白色部材５３を退避位置に移動させる（ＳＴ７〜ＳＴ８）。これによってバックアップ色がベース部材５１の内側壁面５１ａの黒色となる。そして、切替指令によって選択されたバックアップ色が選択されると原稿の搬送動作及び搬送される原稿の読取動作を実行する（ＳＴ９）。
【００３８】
搬送動作及び読取動作が実行され、給紙トレイ１０上の全ての原稿の読み取りが終了すると白色部材５３の位置を検出する（ＳＴ１０）。そして、白色部材５３がバックアップ位置にある場合は白色部材５３をバックアップ位置に維持した状態（ＳＴ１１）する。一方、白色部材５３が待機位置にある場合はソレノイドＳＯＬの励磁を解除して白色部材５３をバックアップ位置に移動する（ＳＴ１２〜ＳＴ１３）。つまり、ここでは白色部材５３をバックアップ位置にある初期状態に戻して次の給紙指令があるまで待機させる。なお、白色部材５３の位置の検出はソレノイドＳＯＬが励磁状態にあるか否かによって容易に確認できる。
【００３９】
ここで、上述した原稿送り動作並びに読取動作について説明すると、給紙トレイユニット１０上に原稿が載置されたことをエンプティセンサＳ１が検知していることを条件に繰出ローラ２１と給紙ローラ２２とが駆動する。これによって、給紙トレイユニット１０の上に載置された複数の原稿が順次繰り出され、分離パッド２３によって１枚に分離されたのち給送される。給送された原稿の先端をレジストセンサＳ２が検知すると、その検知した時点から原稿を所定量搬送することによって、レジストローラ対２４のニップ部に原稿の先端が突き当たって整合され、スキューが取り除去される。その後、レジストローラ対２４、送りローラ対２５及び各読取ローラ対２６、２７、２８が駆動する。これによって、原稿はＵ字状の搬送経路１３に沿ってその表裏が反転するように搬送され、第２の読取部６、第１の読取部５の順に通過する。この第２の読取部６を通過する時に原稿の一方の面が読み取られ、第１の読取部５を通過する時に原稿の他方の面が読み取られる。
【００４０】
原稿の先端が第１排紙ローラ対２９に到達する前に、第１排紙ローラ対２９と第２排紙ローラ対３０とが駆動し、第２の読取部６と第１の読取部５とで両面が読み取られた原稿を排紙トレイ１１上に排紙する。なお、原稿の片面のみを読み取る場合は、第１の読取ユニットまたは第２の読取ユニットのいずれか一方によって読み取る。
【００４１】
本実施の形態では、操作者が任意にパックアップ色の切り替えを選択するようにしたが、原稿種類または読取モードに応じて自動的に切り替えるようにしてもよい。例えば、読取時に裏映りが生じる原稿が薄紙の両面原稿などに限られる場合は、両面薄紙原稿が操作パネル上で選択された場合や両面／薄紙モードが操作パネル上で選択された場合にソレノイドＳＯＬを励磁するように制御すれば自動的にパックアップ色を黒色に切り替えることができる。
【００４２】
本実施の形態によれば、白色部材５３を回動自在な支持板５４に取り付け、支持板５４を回動させることで白色部材５３を読取ユニット４のコンタクトガラス７と対向したバックアップ位置とバックアップ位置から退避した退避位置に移動させることで、白色部材５３がバックアップ位置にあるときにはコンタクトガラス７に対向するバックアップ色が白色となり、白色部材５３が退避位置にあるときには白色部材５３の背面側に配置された黒色部材（ベース部材５１）によってコンタクトガラスに対向するバックアップ色は黒色となる。これによって、簡単な構成で容易にバックアップ色の切り替えが可能となる。また、シェーディング補正データの読み取る時や片面、両面、厚紙、薄紙などの原稿の種類に応じて選択的にバックアップ色を白色と黒色に切り替えることができるので、原稿の裏写りを防止することが可能となり、良好な読み取り画像がえることができる。
【００４３】
また、ここでは白色部材５３の背面側に配置された黒色部材（ベース部材５１）をコンタクトガラス７に対して距離を隔てて配置し、バックアップガラス５２との間に空間を設けたので、黒色部材からの反射光が小さくなり、確実に原稿の裏映りが防止される。
【００４４】
さらに、コンタクトガラス７の対向したガイド面を透明ガラス（バックアップガラス５２）とし、そのガラス５２の背面側に白色部材５３を配置したので、白色部材５３の表面に搬送される原稿の擦れによる傷が発生しない。また、白色部材５３をガラス５２とベース部材５１との密閉された内部に設けたので、白色部材５３の表面にゴミや塵など異物が付着するのを防ぐことができる。
【００４５】
本実施の形態によれば、バックアップガラス５２と白色部材５３との間に規制部材７０を設け、読取位置におけるバックアップガラス５２と白色部材５３との間に隙間を確保したので、ニュートンリングなどによる画像不良を防止できる。
【００４６】
また、白色部材５３を薄いフィルム部材で構成し、その他端をフリー状態で支持部材５４から僅かに距離を隔てて取り付けたので、白色部材５３の主走査幅方向の片当りによって白色部材５３の表面が傾くことが防止され、良好なシェーディング補正データを得ることができる。
【図面の簡単な説明】
【００４７】
【図１】本発明に係る原稿送り装置を備える画像読取装置の全体を示す断面図である。
【図２】第２の読取部の構造を示す拡大断面図である。
【図３】バックアップユニットの構成を示す斜視図であり、（ａ）は白色部材がバックアップ位置にある状態、（ｂ）は白色部材がバックアップ位置にある状態である。
【図４】白色部材の取り付け構成を示す断面図である。
【図５】白色部材がパックアップ位置に移動した状態を示す図であり、（ａ）は断面図、（ｂ）は下面図である。
【図６】白色部材の回動制御を示す動作フローチャート図である。
【符号の説明】
【００４８】
Ｈ  画像読取装置本体
Ａ  原稿送り装置
３  第１の読取ユニット
４  第２の読取ユニット
７  コンタクトガラス
９  バックアップユニット
１０  給紙トレイユニット
１１  排紙トレイ
１３  搬送経路
５１  ベース部材
５１ａ  内側壁面
５１ｂ  突起
５２  バックアップガラス
５３  白色部材
５４  支持板（回動部材）
５４ａ、５４ｂ  ピン
５５  圧縮バネ
５８  回動レバー
５９  第１ギア
６０  リンク部材
６２  第２ギア
６３  回動部材
６４  引っ張りバネ
７０  規制部材
ＳＯＬ  ソレノイド
【図１】
2008193167.tif 000003
【図２】
2008193167.tif 000004
【図３】
2008193167.tif 000005
【図４】
2008193167.tif 000006
【図５】
2008193167.tif 000007
【図６】
2008193167.tif 000008